(57)【特許請求の範囲】
【請求項１】
ケース周壁２の上部外面へ、内向きフランジ22外周から垂下させた肩カバーの嵌合筒23を嵌合させて肩カバー付きケース１となし、
胴部33上端から肩部34を介して口頸部35を起立する容器体31を、胴部33は周壁２内に、肩部34は内向きフランジ22下方に、それぞれ位置させると共に、口頸部35は内向きフランジに挿通させて起立させることで、上記肩カバー付きケース体１に対して上下動および回動不能に嵌合させたケース付き容器において、
上記ケース周壁２上部の左右両部外面へ、縦長の凹部６，６を縦設すると共にこれ等凹部の上部内に仕切板７，７を横設して上方小凹部6aと下方大凹部6bとに区分し、又上記嵌合筒23の左右両部下端から上記凹部６，６内へ嵌合可能な大きさの係合板24,24 を垂下させ、かつ該係合板ないし該係合板上方の嵌合筒部分を含む板部分へ、逆Ｕ字形状の切離し線25,25 を穿設して、該切離し線が囲む板部分をレバー26,26 となし、更にこれ等レバーの上部内面に付設した係合突部27,27 を上記上方小凹部6a,6a 内へ嵌合させ、上記係合板24,24 下部を下方大凹部6b,6b 内へ押込むことでの、上記仕切板外端への当接部分を中心とするレバー26,26 の回動で係合突部27,27 が上方小凹部の上面外縁から離脱可能に形成した
ことを特徴とする外ケース体付き容器。
【請求項２】
上記容器体肩部両側の外端部から被挟持板36,36 を突出させておき、これ等両被挟持板36,36 を、ケース周壁２の上端対向位置に設けた切欠き10,10 内へ嵌合させ、両被挟持板36,36 を、切欠き10,10 底面と肩カバー内向きフランジ22から垂下させた押圧板28,28 とで挟持させた
ことを特徴とする請求項１記載の外ケース体付き容器。
【請求項３】
上記ケース周壁の上部外面と肩カバー嵌合筒23の内面とに窪み11と突部29とからなる着脱自在な係合手段を設けた
ことを特徴とする、請求項１又は２記載の外ケース体付き容器。
【発明の詳細な説明】
【０００１】
【発明の属する技術分野】
本発明はケース体付き容器に関する。
【０００２】
【従来の技術】
一般に容器は使い棄て容器として用いられているが、近時、容器を薄肉として該薄肉容器を肩カバー付きのケース内へ入れて使用し、使用後は薄肉容器だけを交換してケース内へ入れ、ケースは何回も繰返し使用するようにしたケース体付き容器が知られている。
【０００３】
【発明が解決しようとする課題】
本発明は上記肩カバー付きケースにおいて、ケース体と肩カバーとの着脱を容易に行えるようにすることを主たる目的とする。
【０００４】
【課題を解決するための手段】
第１の手段としてケース周壁２の上部外面へ、内向きフランジ22外周から垂下させた肩カバーの嵌合筒23を嵌合させて肩カバー付きケース１となし、
胴部33上端から肩部34を介して口頸部35を起立する容器体31を、胴部33は周壁２内に、肩部34は内向きフランジ22下方に、それぞれ位置させると共に、口頸部35は内向きフランジに挿通させて起立させることで、上記肩カバー付きケース体１に対して上下動および回動不能に嵌合させたケース付き容器において、
上記ケース周壁２上部の左右両部外面へ、縦長の凹部６，６を縦設すると共にこれ等凹部の上部内に仕切板７，７を横設して上方小凹部6aと下方大凹部6bとに区分し、又上記嵌合筒23の左右両部下端から上記凹部６，６内へ嵌合可能な大きさの係合板24,24 を垂下させ、かつ該係合板ないし該係合板上方の嵌合筒部分を含む板部分へ、逆Ｕ字形状の切離し線25,25 を穿設して、該切離し線が囲む板部分をレバー26,26 となし、更にこれ等レバーの上部内面に付設した係合突部27,27 を上記上方小凹部6a,6a 内へ嵌合させ、上記係合板24,24 下部を下方大凹部6b,6b 内へ押込むことでの、上記仕切板外端への当接部分を中心とするレバー26,26 の回動で係合突部27,27 が上方小凹部の上面外縁から離脱可能に形成した。
【０００５】
第２の手段として、上記第１の手段を有すると共に上記容器体肩部両側の外端部から被挟持板36,36 を突出させておき、これ等両被挟持板36,36 を、ケース周壁２の上端対向位置に設けた切欠き10,10 内へ嵌合させ、両被挟持板36,36 を、切欠き10,10 底面と肩カバー内向きフランジ22から垂下させた押圧板28,28 とで挟持させた。
【０００６】
第３の手段として、上記第１、第２の手段を有すると共に上記ケース周壁の上部外面と肩カバー嵌合筒23の内面とに窪み11と突部29とからなる着脱自在な係合手段を設けた。
【０００７】
【発明の実施の形態】
以下図面について説明すると、１はケースである。該ケースは周壁２下端に別に設けた底部材３を嵌合させて形成しており、該底部材は、周壁４の中間部内面に、上面凹状でかつ下面突状の球面状底板５を横設し、かつ周壁上部を小外径筒として該小外径筒へ周壁下端部を嵌合させている。
【０００８】
ケース体周壁２はその上部の左右両部外面へ、縦長の凹部６，６を縦設している。これ等凹部は、上方凹部内に仕切板７，７を横設して、該仕切板により凹部を上方小凹部6aと下方大凹部6bとに区分している。又図示例において、周壁２上部は上向き段部８を介して小外径部９としており、上記凹部６，６は、その小外径部外面から、該小外径部下方外面にかけて穿設しており、上方小凹部6aの上部は小外径部外面に形成されている。又小外径部９の前後両部上端には切欠き10,10 を設け、更にこれ等切欠きと上記凹部間の小外径部部分外面には係止用窪み11,11 を形成している。
【０００９】
21は肩カバーで、内向きフランジ22外周から嵌合筒23を垂下し、該嵌合筒をケース体周壁の小外径部９外面へ嵌合させており、その嵌合筒左右両部の下面からは既述凹部６，６内へ嵌合可能な大きさの係合板24,24 を垂下している。又これ等係合板および該係合板上方の嵌合筒部分を含む板部分へは、逆Ｕ字形状に長く設けた切離し線25,25 を穿設し、該切離し線が囲む板部分をレバー26,26 とし、更にこれ等レバーの上部内面へ係合突部27,27 を付設して、これ等係合突部を図２が示すように上方小凹部6a,6a 内へ嵌合させ、かつそれ等係合突部を上方小凹部の上面へ係合させている。尚既述仕切板７先端は係合突部直下の係合板24およびレバー26内面部分へ当接させている。
【００１０】
図４が示すように既述切欠き10,10 上方の内向きフランジ部分からは、後述容器体から突出させる被挟持板押下げ用の押圧板28,28 を垂下しており、又図１が示すように係合板24と押圧板28との間の嵌合筒部分内面には、既述窪み11,11 へ嵌合させるための突部29,29 を付設している。
【００１１】
31は容器体で、底壁32外周から胴部33を起立し、かつ該胴部上端から肩部34を介して口頸部35を起立する。その口頸部および肩部は剛性を有する厚肉とし、底壁および胴部は剛性に乏しい薄肉としている。口頸部はキャップ螺合のために雄ねじ筒とし、かつ口頸部上端にはノズル孔付きの口栓41を嵌合させ、そのノズル孔閉塞のための栓を頂壁下面に有するキャップ51を口頸部外面へ螺合させている。又肩部34の前後両部外面からは剛性の被挟持板36,36 を突出させており、これ等は既述ケースの切欠き10,10 内へ嵌合させ、そのケースへの肩カバー嵌合時にその切欠き底面と肩カバーから垂下させた押圧板28とで図４が示すように被挟持板36,36 を挟持できるよう設けている。
【００１２】
上記各部材は、それぞれ合成樹脂で成形している。
【００１３】
尚上記容器体には液体噴出用の縦形ないしトリガー式のポンプを装着させてもよく、この場合は、上記キャップに代えてポンプが有する装着筒を容器体口頸部へ嵌合する。
【００１４】
上記構成において、予めケース１から肩カバー21を外しておき、液体等を収納し、かつ口栓41およびキャップ51を嵌合させた容器体31を、上記被挟持板36,36 を切欠き10,10 内へ入れてケース１内へ収納させ、次いで肩カバー21を係合板24,24 は凹部６，６内へ、突部29,29 は窪み11,11 内へ、それぞれ嵌合させ、押圧板28,28 は被挟持板36,36 上面へ圧接させて、ケース周壁２の上端部外面へ嵌合させてケース体と肩カバーとを連結させる。
【００１５】
尚該状態で容器体肩部34は肩カバーの内向きフランジ22下方に位置する。
【００１６】
又該状態では被挟持板36,36 が切欠き10,10 内にあるため、ケース１に対して容器体は回動不能となり、容器体がケース内へ落ち込むこともない。又被挟持板は切欠き10底面と押圧板28,28 とで挟持され、かつ容器体肩部34は肩カバーの内向きフランジ22下方に位置するため、容器体31が肩カバー付きケース上方へ抜け出すこともなく、肩カバー付きケースと容器体とは一体的に連結される。よって該状態からキャップ51を回しても容器体口頸部が共に回ることはなく、キャップを螺脱し、容器体内液体等を注出して使用することが出来る。
【００１７】
容器体交換の際は、肩カバーの係合板24,24 の下部を、下方大凹部6b,6b 内へ押込む。すると図３が示すように係合板24,24 上部両側部分が弾性変形することでレバー26,26 は仕切板７，７先端への当接部分を中心として回動し、係合突部27,27 は上方小凹部6a,6a の上面から外れるから、該状態で肩カバー21をケース１から上方へ引抜くことが出来、該状態から容器体31をケース内から引抜くことが出来る。交換用容器体31の装着は既述のように行えばよい。
【００１８】
【発明の効果】
本発明は既述構成とするものであり、請求項１記載のようにすることで、肩カバー付きケースに対する容器体31の収納および取外しはケースに対する肩カバーの着脱を容易としたことで極めて容易に行うことが出来る。
【００１９】
請求項２のように容器体肩部両側の外端部から突出させた被挟持板36,36 をケース周壁２上端対向位置に設けた切欠き10,10 内へ嵌合させ、かつ肩カバー内向きフランジから垂下させた押圧板28,28 下端と上記切欠き底面とで被挟持板36,36 を挟持させたことで、容器体胴部が薄肉で剛性がなくてもその胴部をケース体内へ吊下げできて座屈等を生ずることがない。
【００２０】
請求項３のように形成することで、例えば誤って係合板24,24 下部を押込みして係合突部27,27 が上方小凹部6a,6a から外れるような場合があっても、該状態ではまだ窪み11と突部29とが係合しているため、直ちに肩カバー21がケース１から外れることを防止することが出来る。
【図面の簡単な説明】
【図１】  本発明容器主要部材としての肩カバー付きケースの分解斜視図である。
【図２】  容器の半断面図である。
【図３】  図２要部の拡大図である。
【図４】  図２と異る位置での半断面図である。
【図５】  キャップ付き容器体の斜視図である。
【符号の説明】
１  …ケース                    ６  …凹部
6a  …上方凹部                  ７  …仕切板
10  …切欠き                    21  …肩カバー
24  …係合板                    25  …切離し線
26  …レバー                    28  …押圧板
31  …容器体                    34  …肩部
36  …被挟持板
【図１】
0003904890.tif 000002
【図２】
0003904890.tif 000003
【図３】
0003904890.tif 000004
【図４】
0003904890.tif 000005
【図５】
0003904890.tif 000006